(57)【要約】【課題】本発明は低騒音型室内送風機に関し、例えば住宅、病院等の静寂性が求められる場所にて最適に使用され、室内空気の還流をはかるために天井面に備付けられ、低い運転騒音であり、天井高さが高く、到達距離が長い個所での充分な風圧を保証し、室内空気の還流を迅速かつ確実に行おうとするものである。【解決手段】天井面２の裏面の空間部３に取付けられた送風機ユニット１であって、ファンと、該ファンの入口側Ｉに設けられ、天井面付近に滞留する空気を吸い込む吸気部と、ファンの出口側Ｏに連設され、吸入した空気を室内に吐出する吐出部とを備え、前記吸気部をなす吸気チャンバー５と前記吐出部をなす吐出チャンバー６との内面には吸音材７が内貼りされた。【選択図】　　　図１
2004144454.tif 000002
【特許請求の範囲】
【請求項１】
天井面の裏面の空間部に取付られる送風機ユニットであって、ファンと、該ファンの入口側に設けられ、天井面付近に滞留する空気を吸い込む吸気部と、前記ファンの出口側に設けられ、吸入した空気を室内に吐出する吐出部とを備え、前記吸気部をなす吸気チャンバーと前記出吐部をなす吐出チャンバーとの内面には吸音材が内貼りされていることを特徴とする低騒音型室内送風機。
【請求項２】
前記ファンは、吸気チャンバーと吐出チャンバーとを内部に有するハウジングの外部に取付られたことを特徴とする請求項１記載の低騒音型室内送風機。
【請求項３】
前記ファンは、吸気チャンバーと吐出チャンバーとを内部に有するハウジング内に組込んで取付られたことを特徴とする請求項１記載の低騒音型室内送風機。
【請求項４】
前記ファンは、遠心ファンまたは軸流ファンであることを特徴とする請求項１，２または３の何れかに記載の低騒音型室内送風機。
【請求項５】
前記吸気チャンバーは、略有天筒状に形成される径大のハウジングと、該ハウジング内に風道部を介して連設される小径の筒状箱体からなる吐出チャンバーとの間の外周空間に形成されることを特徴とする請求項１，２，３または４の何れかに記載の低騒音型室内送風機。
【請求項６】
吸気チャンバーは、開口部を下側の少なくとも一部に設けたハウジングと、該ハウジング内に隔壁を介して設けられた小室をなす吐出チャンバーとの間の空間に形成されたことを特徴とする請求項１，２，３または４の何れかに記載の低騒音型室内送風機。
【請求項７】
吸気チャンバーは、全体形状が略箱状をなし下面外縁に保持鍔部が形成され且つ該保持鍔部内に開口部が形成されたハウジングと、前記開口部内に摺動側板部を介して抜差可能に取付けられ且つ小室をなす吐出チャンバーとの間の空間に形成されることを特徴とする請求項１，２，３または４の何れかに記載の低騒音型室内送風機。
【請求項８】
前記吸音材は、ポリウレタン・フォーム、ポリスチレン・フォーム、スポンジ等の多孔質の軟質材、もしくはフェルト、ガラス繊維等の繊維状物により形成されたことを特徴とする請求項１，２，３，４，５，６または７の何れかに記載の低騒音型室内送風機。
【請求項９】
吐出チャンバーの出口には、送風方向を指向する指向部を設けたことを特徴とする請求項１，２，３，４，５，６，７または８の何れかに記載の低騒音型室内送風機。
【請求項１０】
前記指向部を指向方向可変のノズルで構成したことを特徴とする請求項９記載の低騒音型室内送風機。
【請求項１１】
前記送風方向の指向部が吐出チャンバーに着脱自在に設けられたことを特徴とする請求項９または１０記載の低騒音型室内送風機。
【請求項１２】
前記ノズルは、前記外鍔部に着脱自在に取付られ、摺り合わせ曲面部を内側に有する抱持筒部を設けた取付板と、該抱持筒部内に前後、左右如何なる方向へも摺動自在に組込まれる略球状をなす取付基部の下方に設けた噴出口部と、前記取付基部を摺動自在に保持し前記取付板の下方に取付けられる抑え板とから成ることを特徴とする請求項１０記載の低騒音型室内送風機。
【発明の詳細な説明】
【０００１】
【発明の属する技術分野】
本発明は低騒音型室内送風機に関し、例えば住宅、病院、事務室等の特に静寂性を求められる場所にて最適に使用することができ、室内空気の還流をはかるために天井面等に備付けられ、低い運転騒音であり、天井高さが高く、到達距離が長い個所での充分な風圧を保証し、室内空気の還流を迅速かつ確実に、しかも万便なく行おうとするものである。
【０００２】
【従来の技術】
従来、例えば暖房時において室内の天井面付近と床面付近における室内空気の温度むらを無くして室内空気の還流をはかるための送風機には、例えば、天井面の裏の空間部内に埋め込まれるように設置され、下方が開口された略筒状のハウジングと、該ハウジング内に設けられ、該ハウジング内において周囲から室内空気を吸気する吸気口を有し、モータの駆動力により回転可能に設けられる複数枚の羽根体と、該羽根体が回転されることにより吸気される室内空気を天井面に対して下方に送り出す送風筒とにより形成されるものがあった。
そして、モータを駆動し、送風機の羽根体が回転すると、天井面付近に滞留する例えば暖められた室内空気は、吸気口からハウジング内に吸気され、羽根体により送風筒を通じて下方へと吐出されて下降流になり送風が行われる。また、床面付近に停滞する冷たく比重が大きい室内空気は送風機により吸引されて上昇流になる。こうして、室内空気は、送風機により強制的に対流されて還流が行われ、室内の天井面付近と床面付近との温度むらを解消する送風機があった（例えば、特許文献１参照。）。
【０００３】
【特許文献１】
特許第３０３２８８６号公報（第１−４頁、図１、図２、図３、図４）
【０００４】
【発明が解決しようとする課題】
送風機を天井面の裏の空間部に設ける等して、室内空気の還流をはかる場合に、送風筒から送り出される送風圧の到達距離を床面に近くまで長くして室内空気の充分な還流をはかる必要があるが、この時、送風機の羽根体を回転させるモータを、回転数が低く大容量のものを使用することにより達成されるが、このモータの使用時にはかなりな音圧レベルで騒音が発生されることになる。
例えば、定格電源電圧が直流１２Ｖのモータｍを使用した送風機の場合には、通常使用電圧は直流７．５Ｖに抑えられ、例えば天井高さが２．７００ｍの室内では天井面から１ｍ直下の位置において５２（ｄＢＡ）程度の騒音レベルになっていた。
そして、送風機での騒音の発生源は、送風機の羽根体（ファン）の風切り音のほか、送風機内の振動、および吸気口付近と吐出口付近の気流により発生する音に起因すると考えられる。
このうち騒音を低減するために、送風機の羽根体の形状を変更することにより騒音の発生を抑えて低減させようとする場合には限度がある。また、送風機内の振動を無くすために、送風機の支持部等にゴム等の弾性材を用いることにより振動を緩衝して騒音の発生を低減するのにも限度があった。
特許文献１に記載の上記従来の送風機のように、室内空気を還流するために比較的小型のモータにより回転される羽根体を有する送風機の天井面に位置する吐出口から吐出される床面までの送風の到達距離を充分に長くし、しかも床面付近まで到達する送風の風圧を充分に強く得るのには羽根体を回転するモータの回転数を増加して羽根体を高速回転する必要があるが、モータの回転数を増加していくことは大きな騒音を発生することになる。
しかも、室内空気の充分な還流をはかるためには、特許文献１のように天井の裏面の空間部内に埋め込まれた送風機のように、送風機を設置した天井面の直下における到達距離のみならず、直下から水平方向へ任意距離離れた室内の隅々までも充分な到達距離において強い風圧を得ないと、室内空気の充分な還流が行えない。このためには、羽根体を回転するためのモータの回転数を増加することによりファンを高速回転し、出力を大きくすれば良いが、モータの回転数を増加することは騒音を大きくする原因になる。
また、送風機のファンを回転するためのモータを大容量のものを使用した場合には、大出力により天井面から床面までの到達距離が長く、強い風圧になり、室内空気を充分に還流できる送風機が得られるが、騒音の発生が著しく、送風機自体が大形化するため、天井面の裏の空間部がかなりな設置スペースが必要になる。
【０００５】
本発明は上記従来の不都合を解決し、ファンモータの小型化と小容量化がはかれ、使用時における騒音の発生を低減し、天井高さが高く到達距離が長い室内個所でも充分な風圧により室内空気の還流が迅速かつ確実に、しかも万遍なく行え、また送風機自体はコンパクトな外容積に形成されて薄形設計がはかれ、天井面の裏の空間部が狭い設置スペースでさえも容易かつ確実に取付が行え、さらには構造簡単にして製作および組付けが容易で製作コストが安価な低騒音型室内送風機を提供しようとする。
【０００６】
【課題を解決するための手段】
本発明は上記課題に鑑みなされ、請求項１に記載の発明は、天井面の裏面の空間部に取付けられた送風機ユニットであって、ファンと、該ファンの入口側に設けられ、天井面付近に滞留する空気を吸い込む吸気部と、前記ファンの出口側に設けられ、吸入した空気を室内に吐出する吐出部とを備え、前記吸気部をなす吸気チャンバーと前記吐出部をなす吐出チャンバーとの内面には吸音材が内貼りされていることを特徴とするという手段を採用した。
【０００７】
また、本発明の請求項２に記載の発明は、請求項１において、前記ファンは、吸気チャンバーと吐出チャンバーとを内部に有するハウジングの外部に取付られたことを特徴とするという手段を採用した。
【０００８】
また、本発明の請求項３に記載の発明は、請求項１において、前記ファンは、吸気チャンバーと吐出チャンバーとを内部に有するハウジング内に組込んで取付られたことを特徴とするという手段を採用した。
【０００９】
また、本発明の請求項４に記載の発明は、請求項１，２または３の何れかにおいて、前記ファンは遠心ファンまたは軸流ファンであることを特徴とするという手段を採用した。
【００１０】
また、本発明の請求項５に記載の発明は、請求項１，２，３または４の何れかにおいて、前記吸気チャンバーは、略有天筒状に形成される径大のハウジングと、該ハウジング内に風道部を介して連設される小径の筒状箱体からなる吐出チャンバーとの間の外周空間に形成されることを特徴とするという手段を採用した。
【００１１】
また、本発明の請求項６に記載の発明は、請求項１，２，３または４の何れかにおいて、吸気チャンバーは、開口部を下側の少なくとも一部に設けたハウジングと、該ハウジング内に隔壁を介して設けられた小室をなす吐出チャンバーとの間の空間に形成されたことを特徴とするという手段を採用した。
【００１２】
また、本発明の請求項７に記載の発明は、請求項１，２，３または４の何れかにおいて、吸気チャンバーは、全体形状が略箱状をなし下面外縁に保持鍔部が形成され且つ該保持鍔部内に開口部が形成されたハウジングと、前記開口部内に摺動側板部を抜差可能に取付けられ且つ小室をなす吐出チャンバーとの間の空間に形成されることを特徴とするいう手段を採用した。
【００１３】
また、本発明の請求項８に記載の発明は、請求項１，２，３，４，５，６または７の何れかにおいて、前記吸音材は、ポリウレタン・フォーム、ポリスチレン・フォーム、スポンジ等の多孔質の軟質材、もしくはフェルト、ガラス繊維等の繊維状物により形成されたことを特徴とするという手段を採用した。
【００１４】
また、本発明の請求項９に記載の発明は、請求項１，２，３，４，５，６，７または８の何れかにおいて、吐出チャンバーの出口には、送風方向を指向する指向部を設けたことを特徴とするという手段を採用した。
【００１５】
また、本発明の請求項１０に記載の発明は、請求項９において、前記指向部を指向方向可変のノズルで構成したことを特徴とするという手段を採用した。
【００１６】
また、本発明の請求項１１に記載の発明は、請求項９または１０において、前記指向部が吐出チャンバーに着脱自在に設けられたことを特徴とするという手段を採用した。
【００１７】
また、本発明の請求項１２に記載の発明は、請求項１０において前記ノズルは、前記外鍔部に着脱自在に取付られ、摺り合わせ曲面部を内側に有する抱持筒部を設けた取付板と、該抱持筒部内に前後、左右如何なる方向へも摺動自在に組込まれる略球状をなす取付基部の下方に設けた噴出口部と、前記取付基部を摺動自在に保持し前記取付板の下方に取付けられる抑え板とから成ることを特徴とするという手段を採用した。
【００１８】
【発明の実施の形態】
以下、図面に従って本発明の実施の形態の具体例を説明する。
図１は本発明の低騒音型室内送風機の第１実施形態を示す断面図、図２は本実施形態で使用するハウジングの平面図、図３は図２のＡ−Ａ矢視断面図、図４は本実施形態で使用する吐出チャンバーの平面図、図５は図４のＢ−Ｂ矢視断面図、図６は本実施形態で使用するノズルの平面図、図７は図６のＣ−Ｃ断面図、図８は本実施形態の低騒音型室内送風機の風速と騒音との測定時の使用状態を示す断面図、図９は同じくノズルの傾斜角度を変更した風速と騒音との測定時の使用状態を示す断面図である。
【００１９】
１は天井面２の裏面の空間部３に取付けられた送風機ユニットであり、この送風機ユニット１は、ファンと、該ファンの入口側Ｉに設けられ、天井面２付近に滞留する室内空気Ｋを吸い込む吸気部と、前記ファンの出口側Ｏに設けられ、吸入した空気を室内に吐出する吐出部とを備えた点はかれこれ特許文献１に記載の送風機ユニットと同様の構成である。
【００２０】
しかしながら、本実施形態ではファンに遠心ファン４を用いたものが図示されている。
そして、前記吸気部を吸気チャンバー５となし、前記吐出部を吐出チャンバー６となし、しかも、前記吸気チャンバー５と前記吐出チャンバー６との内面には吸音材７が内貼りされている。
【００２１】
前記吸気チャンバー５は、本実施形態では例えば合成樹脂可塑物、またはアルミニウム等の入手が容易で加工し易い金属板により形成され、外側に配置される外形形状が略有天筒状に形成される径大のハウジング８と、該ハウジング８と同様材料により形成され、ハウジング８内に風道部９を介して連通して設ける小径の筒状箱体からなる吐出チャンバー６との間の外周および上部の空間１０に形成される。
【００２２】
６ａは前記吐出チャンバー６の下面外周に形成される下面略円環状の外鍔部であり、この外鍔部６ａの外周径φ１は前記ハウジング８の内周径φ２より僅かに大径に形成されることによりハウジング８の下方外周に設けた外鍔８ａと共同して天井面２付近の室内空気Ｋを吸引する場合に抵抗を少なくして導入し易くしている。
【００２３】
６ｂは前記吐出チャンバー６の外周に適宜個数、本実施形態では１個が半径方向に設けられた間隔保持片であり、この間隔保持片６ｂの外周上面に設けた載置段部６ｃにハウジング８の下縁が載置されることにより吐出チャンバー６の外鍔部６ａに対して所定間隔Ｌの吸引口Ｐが望まれるようにハウジング８を吐出チャンバー６に組付けられる。この時、吐出チャンバー６に対してハウジング８を組付けるのには、例えば間隔保持片６ｂの外周上面に設けた載置段部６ｃにハウジング８の下縁内周を嵌合させても良いし、間隔保持片６ｂの両側に起立した係合子６ｅ，６ｅをハウジング８の内側に対向して突設した係合片８ｂ，８ｂに係合させたり、図には示さないが止ねじをハウジング８の外周から間隔保持片６ｂに対して螺入することにより行うこともできる。
【００２４】
前記遠心ファン４は、本実施形態では直流１２Ｖの小型のモータＭを駆動源として高速回転される多数の羽根体１１をモータケース１２に対して偏芯位置に設けた低騒音型のファンが使用される。
そして、この遠心ファン４は、前述のように吸気チャンバー５と吐出チャンバー６とを内部に有するハウジング８に対して外部、例えば図１に示すようにハウジング８の天面に取付られ、その吹出口１３が前記風道部９に接続されることにより遠心ファン４内に吸引される室内空気Ｋを風道部９を介して吐出チャンバー６へと高圧送風するようになっている。またこの遠心ファン４をハウジング８に対して取付るのには、例えば図示のようにビス１４を用いてビス止めすることにより製作時での組付操作を簡便になしたり、保守・点検時の分解操作を容易に行えるようにするほか、図には示さないがモータケース１２を回動操作することによりモータケース１２の外周に周方向に突設した突片を、ハウジング８に同心的に設けた複数個の係止片に着脱自在に係止するというバイヨネット方式を採用するようにしてもよい。
【００２５】
前記吸音材７は、例えばポリウレタン・フォーム、ポリスチレン・フォーム、スポンジ等の多孔質の軟質材、もしくはフェルト、ガラス繊維等の繊維状物により形成されるものが使用され、発生され送風機ユニット１の内部、例えば送風機ユニット１の羽根体１１の風切り音、送風機ユニット１内の振動、および吸気チャンバー５内と吐出チャンバー６内の気流により発生する音を吸収して消音するようになっている。
【００２６】
前記風道部９は、全体形状が例えば横断面略矩形に形成される（図２参照）が、本実施形態ではハウジング８の内周に形成される上部風道構成部９Ａと、吐出チャンバー６の外周下部に形成される下部風道構成部９Ｂとに２分割され、この上部風道構成部９Ａと下部風道構成部９Ｂとを上下に組み合わせることにより組付および分解を容易になしている。上部風道構成部９Ａと下部風道構成部９Ｂとの組付は、例えば係止突起１５ａと該係止突起１５ａが係脱可能になる係止凹部１５ｂとにより行われる。
【００２７】
１６は吐出チャンバー６の外側、例えば図１においては下方に設けられた送風方向を指向する指向部としてのノズルであり、このノズル１６は吐出チャンバー６から吐出される室内空気Ｋの送風方向を所望方向に変更可能にするためのものである。このノズル１６は、本実施形態では前記外鍔部６ａに例えば係合手段１７により着脱自在に取付られ、摺り合わせ曲面部１８ａを内側に有する抱持筒部１８ｂを設けた取付板１８Ａと、該取付板１８Ａの抱持筒部１８ｂ内に前後、左右如何なる方向へも摺動自在に組込まれる略球状をなす取付基部１９ａと、該取付基部１９ａの下方に設けられた噴出口部１９と、前記取付基部１９ａを摺動自在に保持し前記取付板１８Ａの下方にビス止めされるスタッドを有する抑え板１８Ｂとにより形成される。噴出口部１９の横断面形状、絞り具合、長さ等は、用途に応じて適宜変更が可能であり、用途に応じた多種類を用意して互換可能にすることもできる。
【００２８】
２０は本実施形態の送風機ユニット１を取付けるための取付手段であり、この取付手段２０はハウジング８の外部に嵌合されるリング状のタイバンド２１と、該タイバンド２１に取付られた板ばね２２とにより形成される。そして、ハウジング８の外鍔８ａと弾性を有する板ばね２２とにより天井パネル２Ａに設けた取付用の開口２ａを上下から弾性的に挟持することにより送風機ユニット１は天井面２の裏面の空間部３内に埋め込まれるように取付られる。
【００２９】
本発明の第１実施形態は以上の構成からなり、天井面２の裏面の空間部３に送風機ユニット１が取付けられる。
送風機ユニット１の取付は、例えば図１に示すように、ハウジング８の外鍔８ａとハウジング８の外部に嵌合されるリング状のタイバンド２１に設けられた弾性を有する板ばね２２とにより天井パネル２Ａに設けた取付用の開口２ａを上下から弾性的に挟持することにより送風機ユニット１は天井面２の下面に吸引口Ｐが望まれるように天井面２の裏面の空間部３内に埋め込むように取付られる。
【００３０】
そして、図には示さないスイッチをオンすることにより送風機ユニット１のモータＭが駆動されると、羽根体１１が回転されるので、天井面２付近に滞留している室内空気Ｋは、吸引口Ｐから吸気チャンバー５内に吸引され、次に吸気チャンバー５から遠心ファン４内に吸引され、遠心ファン４の吹出口１３から風道部９を介して吐出チャンバー６へと高圧送風されるようになっている。
【００３１】
また、送風機ユニット１は、本実施形態では、直流１２ＶのモータＭを駆動源として高速回転される多数の羽根体１１をモータケース１２に対して偏芯位置に設けた低騒音型の小型の遠心ファン４が使用されるので、室内空気Ｋの吸気チャンバー５での吸気と吐出チャンバー６での吐出における内圧は高くなり、羽根体１１による風切り音の発生は抑えられるので、例えば特許文献１に示すように定格電源電圧が直流１２Ｖの回転数が低く大容量のモータを使用している従来の送風機に較べて、使用時における騒音の発生が抑えられる。
【００３２】
また、本実施形態の送風機ユニット１では、前記遠心ファン４に対してハウジング８内は入口側Ｉまたは出口側Ｏに連設され、天井面２付近に滞留する室内空気Ｋを吸い込む吸気部をなす吸気チャンバー５と、遠心ファン４内に吸入した室内空気Ｋを風道部９を介して送風する吐出部をなす吐出チャンバー６との数個の連続した小室が直線的ではなく曲線的に形成されているので、天井面２付近に滞留する室内空気Ｋを吸い込む吸気チャンバー５と、遠心ファン４内に吸入した室内空気Ｋを風道部９を介して送風する吐出チャンバー６等の気流接触面の表面性状に対する摩擦が低減され、しかも気流は吸引されてから吐出されるまで通路内で曲線的に曲げられるため、遠心ファン４の羽根体１１が回転する時の風切り音、また遠心ファン４内の振動、および吸気チヤンバー５の吸引口Ｐ付近と吐出チャンバー６の吐出口６ｄ付近の気流により使用時に騒音が発生した場合に、騒音レベルは低減される。
【００３３】
しかも前記吸気チャンバー５と前記吐出チャンバー６との内面には例えばポリウレタン・フォーム、ポリスチレン・フォーム、スポンジ等の多孔質の軟質材、もしくはフェルト、ガラス繊維等の繊維状物により形成された吸音材７が内貼りされているので、遠心ファン４の羽根体１１が回転する時の風切り音が発生したり、また遠心ファン４内の振動が発生したり、さらには吸気チヤンバー５の吸引口Ｐ付近と吐出チャンバー６の吐出口６ｄ付近を流れる気流により使用時に騒音が発生した場合にも吸音材７により吸収されるため、騒音レベルは低減される。
【００３４】
本実施形態の送風機ユニット１では、直流のモータＭを駆動源として高速回転される多数の羽根体１１をモータケース１２に対して偏芯位置に設けた低騒音型の遠心ファン４を使用しているので、図８に示すように、天井面２から床面Ｙまでの天井高さＨが２，９８０ｍｍ、送風機ユニット１の下面から床面Ｙまでの取付高さＨ′が２，９１０ｍｍの室内において、空調機を３０°Ｃの設定温度にて測定時間として１１；３０′〜１５；３０′までの間、運転して暖房を行い、暖気を天井面２付近に滞留させ、送風機ユニット１の吐出チャンバー６の吐出口６ｄから吐出される室内空気Ｋの到達個所毎の風速測定と、騒音測定を行った結果、［表１］，［表２］　，［表３］を得た。
【００３５】
［表１］は、モータＭへの印加電圧を直流１２Ｖ、１０Ｖ、９．５Ｖ、８Ｖ、７．５Ｖ、６．５Ｖと変化して駆動される図１に示すような低騒音型の遠心ファン４について、送風機ユニット１の吐出チャンバー６からノズル１６を介して吐出される室内空気Ｋの初速、および天井面２から直下１ｍの個所Ｎ１、また直下１．５ｍ離れた個所Ｎ２、直下２ｍ離れた個所Ｎ３、直下２．５ｍ離れた個所Ｎ４、さらに床面Ｙの直上１０ｃｍ離れた個所Ｎ５のそれぞれの風速測定したものをまとめたものである。
【００３６】
また［表２］は、天井面２から直下１ｍ離れ位置Ｎ１から床面Ｙに対し水平に１０ｃｍ離れた個所、また、直下１．５ｍ離れた位置Ｎ２から床面Ｙに対し水平に２０ｃｍ離れた個所、直下２ｍ離れた位置Ｎ３から床面Ｙに対し水平に３０ｃｍ離れた個所、直下２．５ｍ離れた位置Ｎ４から床面Ｙに対し水平に４０ｃｍ離れた個所、床面Ｙ上１０ｃｍ離れた位置Ｎ５から床面Ｙに対し水平に１０ｃｍ、２０ｃｍ、３０ｃｍ、４０ｃｍ、５０ｃｍ、６０ｃｍ、７０ｃｍ、８０ｃｍ、９０ｃｍ、１００ｃｍとそれぞれ１０ｃｍづつ離れた個所Ｎ５ａ，Ｎ５ｂＮ５ｃ，Ｎ５ｄ，Ｎ５ｅ，Ｎ５ｆ，Ｎ５ｇ，Ｎ５ｈ，Ｎ５ｉ，Ｎ５ｊの風速を測定してまとめたものである。用いた風速測定機としては、例えば日本カノマックス社製の型式ＭＯＤＥＬ　６５１１の風速・温湿度計を用いて測定した。
【００３７】
また［表３］は、モータＭへの印加電圧を直流１２Ｖ、１０Ｖ、９．５Ｖ、８Ｖ、７．５Ｖ、７Ｖ、６．５Ｖに変化して駆動される低騒音型の遠心ファン４について、送風機ユニット１から発生する天井面２に対する直下１ｍの位置Ｎ１、床面Ｙ上略１ｍの位置Ｎ３での騒音を２回、測定したものをまとめたものである。用いた騒音測定機器としては、日置電機株式会社製の型式３４３０のデジタル騒音計を用いた。
【００３８】
【表１】
2004144454.tif 000003
【００３９】
【表２】
2004144454.tif 000004
【００４０】
【表３】
2004144454.tif 000005
【００４１】
また、比較例として表４はモータへの定格電源電圧が直流１２Ｖ、１０Ｖ、８Ｖと変化させて駆動される特許文献１に示すような従来の送風機を天井面から床面までの天井高さが２，７００ｍｍの室内の天井面に取付た場合に、空調機を３０°Ｃの設定温度にて運転して暖房を行い、暖気を天井面付近に滞留させてから、送風機の吐出口から吐出される室内空気の到達個所毎の風速測定と、騒音測定を行った結果、［表４］，［表５］　，［表６］を得た。
【００４２】
【表４】
2004144454.tif 000006
【００４３】
このうち、［表４］は、モータへの定格電源電圧が直流１２Ｖ、１０Ｖ、８Ｖに変化することにより駆動される特許文献１の送風機について、送風機の送風筒の吐出口から吐出される室内空気の初速、および天井面から直下１ｍの個所、また直下１．７ｍ離れた個所、さらに床面の直上５ｃｍ離れた個所のそれぞれの風速測定したものをまとめたものである。
【００４４】
【表５】
2004144454.tif 000007
【００４５】
また［表５］は、天井面から直下１ｍ離れた位置において床面に対し水平に１５ｃｍ離れた個所、また、直下１．７ｍ離れた位置において床面に対し水平に３０ｃｍ離れた個所、床面上５ｃｍの位置での床面に対し水平に４０ｃｍ離れた個所の風速を測定してまとめたものである。
用いた風速測定機としては、本実施形態と同様に例えば日本カノマックス社製の型式ＭＯＤＥＬ　６５１１の風速・温湿度計を用いて測定した。
【００４６】
【表６】
2004144454.tif 000008
また［表６］は、モータへの印加電圧を直流１２Ｖ、１０Ｖ、８Ｖに変化して駆動される特許文献１に示すような従来の送風機について直下１ｍの位置での騒音を測定したものをまとめたものである。
用いた騒音測定機器としては、本実施形態と同様に日置電機株式会社製の型式３４３０のデジタル騒音計を用いた。
【００４７】
こうして、例えば高速回転のモータＭにより羽根体１１が回転駆動される低騒音型の遠心ファン４を使用した本実施形態の送風機ユニット１と、例えば特許文献１に示すようなモータを使用して羽根体を低速回転して大容量の風速を得ることを目指す従来の送風機とを比較すると、例えば送風機の送風筒の吐出口から吐出される風速については上記［表１］と［表４］からモータへの印加電圧が１２Ｖである場合に、入室者が生活したり、行動したりするのに頻度が高い、例えば天井面２から直下１ｍの個所Ｎ１では、本実施形態の送風機ユニット１は、１．９１（ｍ／ｓ）であるのに対して特許文献１に示すように従来の送風機では天井面から直下１ｍの位置では１．５８（ｍ／ｓ）である。従って、本実施形態の方が従来よりも高い風速を得ることができ、騒音の発生を抑制するのに適うとともに室内空気Ｋを充分な風圧にて強い送風圧で到達距離が床面Ｙの近くまで伸び、効率良く還流が行えることがわかった。
【００４８】
また、騒音については、本実施形態の送風機ユニット１は、上記［表３］と［表６］から同様に電圧が１２Ｖの小型のモータ相互を使用した場合に、例えば図８に示すように天井面２から直下１ｍの個所Ｎ１では、騒音値の１回目の測定値が４５．２（ｄＢＡ）であり、２回目の測定値が４４．２（ｄＢＡ）であるのに対して特許文献１に示すような従来の送風機では測定値が５２（ｄＢＡ）である。従って、本実施形態の方が従来よりも騒音レベルが７〜８．２（ｄＢＡ）も低減されることがわかった。
【００４９】
また、本実施形態の送風機ユニット１では、前記外鍔部６ａに例えば係合手段１７により着脱自在に取付られ、摺り合わせ曲面部１８ａを内側に有する抱持筒部１８ｂを設けた取付板１８Ａと、該取付板１８Ａの抱持筒部１８ｂ内に前後、左右如何なる方向へも摺動自在に組込まれる略球状をなす取付基部１９ａと、該取付基部１９ａの下方に設けられた噴出口部１９と、前記取付基部１９ａを摺動自在に保持し、前記取付板１８Ａの下方にビス止めされるスタッドを有する抑え板１８Ｂとにより形成される送風方向を指向する指向部としてのノズル１６が、吐出チャンバー６の外側、図１においては下方に設けられているので、送風機ユニット１を天井面２に対して取付た後でも、摺り合わせ曲面部１８を有する抱持筒部１８ｂ内において略球状をなす取付基部１９ａを摺動させることによりノズル１６を前後、左右如何なる方向へも取付位置を変更できるため、吐出チャンバー６から吐出される室内空気Ｋの送風方向を所望方向に変更可能にすることができる。
【００５０】
そして、遠心ファン４を使用した本実施形態の送風機ユニット１について前述のように天井面２から直下での測定と同様に、図９の如く天井面２から床面Ｙまでの天井高さＨが２，９８０ｍｍ、送風機ユニット１の下面から床面Ｙまでの取付高さＨ′が２，９１０ｍｍの室内において、空調機を３０°Ｃの設定温度にて測定時間として１８；００〜２０；００までの間、運転して暖房を行い、暖気を天井面２付近に滞留させ、送風機ユニット１の送風方向の指向部としてのノズル１６を取付板１８Ａに対して傾斜角αが例えば３４°に傾けた場合に、吐出チャンバー６の吐出口６ｄから吐出される室内空気Ｋの到達個所毎の風速測定と、騒音測定を行った結果、［表７］，［表８］を得た。
【００５１】
［表７］は、モータＭへの印加電圧を直流６Ｖ、７Ｖ、８Ｖ、９Ｖ、１０Ｖ、１１Ｖ、１２Ｖと変化して駆動される図１に示すような低騒音型の遠心ファン４について、送風方向を指向する指向部としてのノズル１６を抑え板１８Ｂに対して傾斜角αを例えば３４°に傾けた場合に、吐出チャンバー６からノズル１６を介して吐出される室内空気Ｋの初速、および天井面２から１ｍの個所Ｎ′１、また２ｍ離れた個所Ｎ′２、２．５ｍ離れた個所Ｎ′３、３ｍ離れた個所Ｎ′４、さらに床面Ｙの直上１０ｃｍ離れた個所Ｎ′５のそれぞれの風速測定したものをまとめたものである。
【００５２】
また［表８］は、モータＭへの印加電圧を直流６Ｖ、７Ｖ、８Ｖ、９Ｖ、１０Ｖ、１１Ｖ、１２Ｖに変化して駆動される低騒音型の遠心ファン４について、送風機ユニット１のノズル１６の傾斜角αを例えば３４°に設定した場合の天井面２に対する直下１ｍの位置Ｎ１にて測定したものをまとめたものである。
【００５３】
【表７】
2004144454.tif 000009
【００５４】
【表８】
2004144454.tif 000010
【００５５】
こうして、例えば高速回転のモータＭにより羽根体１１が回転駆動される低騒音型の遠心ファン４を使用した本実施形態の送風機ユニット１では、送風方向を指向する指向部としてのノズル１６を傾斜角αとして例えば３４°に傾けた場合に、特許文献１に示すようなモータを使用して羽根体を低速回転して大容量の風速を得ることを目指す従来の送風機とを比較すると、例えば送風機の送風筒の吐出口から吐出される風速については上記［表７］と［表４］から、モータへの印加電圧が１２Ｖである場合に、入室者が生活したり、行動したりするのに頻度が高い、例えば天井面２から１ｍの個所Ｎ′１では、本実施形態の送風機ユニット１は、１．３４（ｍ／ｓ）であるのに対して特許文献１に示すように従来の送風機では天井面から直下１ｍの位置では１．５８（ｍ／ｓ）である。
従って、送風方向の指向部としてのノズル１６を傾けて送風方向を変更した本実施形態の送風機ユニット１と、送風機の直下１ｍの位置にて測定した従来の送風機と比較した場合に、本実施形態では僅かに弱いが充分に高い風速を得ることができ、しかも騒音は４６．０ｄＢであり、騒音は低減され、発生が抑制されるとともに室内空気Ｋを充分に強い送風圧で到達距離が床面Ｙの近くまで伸びるので、室内空気Ｋの還流が効率良く行えることがわかった。
【００５６】
また、ノズル１６の噴出口部１９の横断面形状、絞り具合、長さ等は、用途に応じて適宜変更が可能である。従って、ノズル１６は用途に応じた多種類を用意して互換可能にすれば便利である。
【００５７】
また、本実施形態の送風機ユニット１では例えば合成樹脂可塑物、またはアルミニウム等の入手が容易で加工し易い金属板により形成され、外側に配置される外形形状が略有天筒状に形成される径大のハウジング８と、該ハウジング８と同様材料により形成され、ハウジング８内に風道部９を介して連通して設けられる小径な筒状箱体によりなる吐出チャンバー６とを組付ける場合に、吐出チャンバー６の外周に適宜個数、本実施形態では半径方向に設けた間隔保持片６ｂの外周上面に設けた載置段部６ｃにハウジング８の下縁を載置して吐出チャンバー６の下板に対して所定間隔Ｌの吸気口Ｐを望ませてハウジング８を吐出チャンバー６に嵌合させたり、間隔保持片の両側に起立した係合子６ｅ，６ｅをハウジング８の内側に対向して突設した係合片８ｂ，８ｂに係合させたり、図には示さないが止ねじをハウジング８の外周から間隔保持片６ｂに螺入する等して組付ける。このため、ハウジング８と吐出チャンバー６との組付が容易になり、室内空気Ｋを吸い込む吸気チャンバー５と、送風機ユニット１内に吸入した室内空気Ｋを吐出する吐出チャンバー６とをハウジング８内に備えた送風機ユニット１を形成することができる。
【００５８】
また、本実施形態の送風機ユニット１では、遠心ファン４は、前述のように吸気チャンバー５と吐出チャンバー６とを内部に有するハウジング８に対して外部、例えば図１に示すようにハウジング８の天面にビス１４を用いてビス止めしたり、または図には示さないがモータケース１２を円周方向に回動操作し、モータケース１２の外周に周方向に突設した突片を、ハウジング８に同心的に設けた複数個の係止片に着脱自在に係止するバイヨネット方式等を採用することにより遠心ファン４をハウジング８の外部に取付けることができる。従って、遠心ファン４の組付操作や分解操作が容易かつ確実に行え、保守・点検が容易になる。例えば遠心ファン４が故障したりした場合は、部品の交換や修繕も容易に行え、掃除も楽に行える。
【００５９】
また、図１０に示すものは本発明の低騒音型室内送風機の第２実施形態を示す。
この実施形態では、下方面の少なくとも一部に開口部３０を設けたハウジング８の全体形状が略箱状をなし、吸気チャンバー５は、該ハウジング８内に隔壁３１を介して設けられた小室をなす吐出チャンバー６との間の空間に形成される点が前記第１実施形態と異なる構成であるほかは、前記第１実施形態と同様の構成、作用である。
【００６０】
また、図１１および図１２に示すものは本発明の低騒音型の室内送風機の第３実施形態を示す。
この実施形態では、ハウジング８の全体形状が略箱状をなす点は前記第２実施形態と同様の構成である。
しかしながら、この実施形態ではハウジング８の下面に保持鍔部４０を外縁に形成して該保持鍔部４０内に開口部４１を形成し、幅方向略中央に設けた摺動側板部４２を前記開口部４１の内側に設けた案内溝４３に沿って抜差可能に前記開口部４１内に取付けることにより、吸気チャンバー５は、小室をなす吐出チャンバー６との間の空間に形成される構成を採用している。
こうして、小室をなす吐出チャンバー６を、全体形状が略箱状をなすハウジング８の保持鍔部４０に設けた開口部４１内に、案内溝４３に沿って摺動側板部４２を抜差可能に設けることによりハウジング８内に吸気チャンバー５と吐出チャンバー６とを備えた低騒音型の室内送風機の組付および分解を容易にしたほかは、前記第２実施形態と同様の構成、作用である。
【００６１】
さらに、図１３は本発明の第４実施形態である。
この第４実施形態では、遠心ファン４は、吸気チャンバー５と吐出チャンバー６とを内部に有するハウジング８内に組込んで取付られるようにしているほかは、前記第１実施形態と同様の構成、作用である。
【００６２】
図示する上記各実施形態で示す室内送風機では、ファンとして遠心ファン４を用いた送風機ユニット１が示されているが、遠心ファン４を用いたのはファンに対して入口側に設けた吸気チャンバー５と、出口側に吐出チャンバー６とを設けたことにより内部損失が大きくなる場合でも天井面２からの到達距離を充分に伸ばすことができるとともに強い風圧を確保し、騒音が静かであるが、大きな出力を発揮するからであり、これは代表的な例示であり、これに制限されずに、例えばファンに対して入口側に設けた吸気部としての吸気チャンバー５と、吐出部をなす吐出チャンバー６とが軸方向に設けられる軸流ファンでも本発明の適用範囲である。
【００６３】
【発明の効果】
本発明は上記課題に鑑みなされ、請求項１に記載の発明は、天井面の裏面の空間部に取付けられた送風機ユニットであって、ファンと、該ファンの入口側に設けられ、天井面付近に滞留する空気を吸い込む吸気部と、前記ファンの出口側に設けられ、吸入した空気を室内に吐出する吐出部とを備え、前記吸気部をなす吸気チャンバーと前記吐出部をなす前記吐出チャンバーとの内面には吸音材が内貼りされていることを特徴とするので、送風機ユニットに使用するモータの小型化と小容量化がはかることができる。また、使用時における騒音の発生を低減することができ、天井高さが高く到達距離が長い室内個所でも充分な風圧により室内空気の還流を迅速かつ確実に、しかも万遍なく行え、また送風機自体はコンパクトな外容積に形成されて薄形設計がはかれ、天井面の裏の空間部が狭い設置スペースでさえも容易かつ確実に送風機の取付が行え、さらには構造簡単にして製作および組付けが容易で製作コストが安価になる。
【００６４】
また、本発明の請求項２に記載の発明は、請求項１において、前記ファンは、吸気チャンバーと吐出チャンバーとを内部に有するハウジングの外部に取付られたことを特徴とし、また、請求項４は、請求項１，２または３の何れかにおいて、前記ファンは、遠心ファンまたは軸流ファンであることを特徴とするので、ファンの組付操作や分解操作が容易かつ確実に行え、保守・点検が容易になり、例えば、ファンが故障したりした場合は、部品の交換や修繕も容易に行え、掃除も楽に行える。
【００６５】
また、本発明の請求項３に記載の発明は、請求項１において前記ファンは、吸気チャンバーと吐出チャンバーとを内部に有するハウジング内に組込んで取付られたことを特徴とするので、外容積がコンパクトな低騒音型の室内送風機が得られる。
【００６６】
また、本発明の請求項５に記載の発明は、請求項１，２，３または４の何れかにおいて、前記吸気チャンバーは、略有天筒状に形成される径大のハウジングと、該ハウジング内に風道部を介して連設される小径の筒状箱体からなる吐出チャンバーとの間の外周空間に形成されることを特徴とし、また、本発明の請求項６に記載の発明は、請求項１，２，３または４の何れかにおいて、吸気チャンバーは、開口部を下側の少なくとも一部に設けたハウジングと、該ハウジング内に隔壁を介して設けられた小室をなす吐出チャンバーとの間の空間に形成されたことを特徴とし、また、本発明の請求項７に記載の発明は、請求項１，２，３または４の何れかにおいて、吸気チャンバーは、全体形状が略箱状をなし下面外縁には保持鍔部が外縁に形成され且つ該保持鍔部内に開口部が形成されたハウジングと、前記開口部内に摺動側板部を介して抜差可能に取付けられ且つ小室をなす吐出チャンバーとの間の空間に形成されることを特徴とするので、室内空気を吸い込む吸気チャンバーと、風道部を介して送風機ユニット内に吸入した室内空気を吐出する吐出チャンバーとの数個の連続した小室が直線的ではなく曲線的に形成されるため、使用時における騒音の発生が低減され、天井高さが高く到達距離が長い室内個所でも充分な風圧により室内空気の還流が迅速かつ確実に、しかも万遍なく行え、また送風機自体はコンパクトな外容積に形成されて薄形設計がはかれ、天井面の裏の空間部が狭い設置スペースでさえも容易かつ確実に取付が行え、さらには構造簡単にして製作および組付けが容易で製作コストが安価になる。
【００６７】
また、本発明の請求項８に記載の発明は、請求項１，２，３，４，５，６または７の何れかにおいて前記吸音材は、ポリウレタン・フォーム、ポリスチレン・フォーム、スポンジ等の多孔質の軟質材、もしくはフェルト、ガラス繊維等の繊維状物により形成されたことを特徴とするので、容易にしかも廉価に資材の調達が行え、使用時における騒音の発生が低減される。
【００６８】
また、本発明の請求項９に記載の発明は、請求項１，２，３，４，５，６，７または８の何れかにおいて、吐出チャンバーの出口には、送風方向を指向する指向部を設けたことを特徴とし、また、本発明の請求項１０に記載の発明は、請求項９において、前記指向部を指向方向可変のノズルで構成したことを特徴とするので、天井面に対して送風機ユニットを取付後においても指向部を前後、左右如何なる方向へも変更できるため、吐出される室内空気の送風方向を所望方向に変更可能にすることができる。
【００６９】
また、本発明の請求項１１に記載の発明は、請求項９または１０において、前記指向部が吐出チャンバーに、着脱自在に設けられたことを特徴とし、また、本発明の請求項１２に記載の発明は、請求項１０において前記ノズルは、前記外鍔部に着脱自在に取付られ、摺り合わせ曲面部を内側に有する抱持筒部を設けた取付板と、該抱持筒部内に前後、左右如何なる方向へも摺動自在に組込まれる略球状をなす取付基部の下方に設けた噴出口部と、前記取付基部を摺動自在に保持し前記取付板の下方に取付けられる抑え板とから成ることを特徴とするので、ノズルの組付と交換、保守は容易になり、また、ノズルの噴口部の横断面形状、絞り具合、長さ等は、用途に応じて適宜変更が可能であり、用途に応じた多種類を用意して互換可能にすることができる。
【図面の簡単な説明】
【図１】図１は本発明の低騒音型室内送風機の第１実施形態を示す断面図である。
【図２】図２は本実施形態で使用するハウジングの平面図である。
【図３】図３は図２のＡ−Ａ矢視断面図である。
【図４】図４は本実施形態で使用する吐出チャンバーの平面図である。
【図５】図５は図４のＢ−Ｂ矢視断面図である。
【図６】図６は本実施形態で使用するノズルの平面図である。
【図７】図７はＣ−Ｃ断面図である。
【図８】図８は本実施形態の低騒音型室内送風機の風速と騒音との測定時の使用状態を示す断面図である。
【図９】同じく本実施形態において送風方向の指向部としてノズルを傾けた場合に、室内空気の到達個所毎の風速と騒音との測定を行う説明的な側面図である。
【図１０】図１０は本発明の低騒音型室内送風機の第２実施形態を示す断面図である。
【図１１】図１１は本発明の低騒音型室内送風機の第３実施形態を示し、背面側から見た斜視図である。
【図１２】図１２は同じく本発明の低騒音型室内送風機の第３実施形態を示す斜視図である。
【図１３】図１２は本発明の低騒音型室内送風機の第４実施形態を示す断面図である。
【符号の説明】
１　　送風機ユニット
２　　天井面
２Ａ　天井パネル
３　　空間部
４　　遠心ファン
５　　吸気チャンバー
６　　吐出チャンバー
７　　吸音材
８　　ハウジング
９　　風道部
【図１】
2004144454.tif 000011
【図２】
2004144454.tif 000012
【図３】
2004144454.tif 000013
【図４】
2004144454.tif 000014
【図５】
2004144454.tif 000015
【図６】
2004144454.tif 000016
【図７】
2004144454.tif 000017
【図８】
2004144454.tif 000018
【図９】
2004144454.tif 000019
【図１０】
2004144454.tif 000020
【図１１】
2004144454.tif 000021
【図１２】
2004144454.tif 000022
【図１３】
2004144454.tif 000023